(57)【要約】【課題】額縁設置用の吊り具が外から見えず、写真、書画、絵画などの展示品を嵌め込んだ額縁が、観賞用として好適に設置できる額縁を提供する。【解決手段】展示品３のサイズに対応して略四辺形の窓枠形状に額縁外枠２を形成し、この額縁外枠２の表面側内周に突条枠部２ａを張り出して形成し、額縁外枠２に裏面側から嵌合可能な裏板４を展示品３のサイズに対応して略四辺形に形成し、第１（縦掛け用）の吊り具６と第２（横掛け用）の吊り具７を額縁外枠２の対向する内周壁面２ｂ、２ｃに略均等に配設された４本の裏板支持板５に取り付ける。展示品３は、裏面から裏板４と重合されて額縁外枠２に嵌合され、突条枠部２ａに保持され、裏板４は、裏板４の裏面から額縁外枠２に装着された４本の裏板支持板５に表面側に押圧されて支持される。【選択図】        図１
2004313406.tif 000002
【特許請求の範囲】
【請求項１】
表面側内周に張り出した突条枠部を有する額縁外枠と、この額縁外枠の裏面側から額縁外枠に嵌合可能に形成された裏板と、前記額縁外枠内側の対向する内周壁面に着脱可能に装着された複数の裏板支持板と、この複数の裏板支持板の同一の裏板支持板に取り付けられた第１の吊り具と、対向する２本の裏板支持板に取り付けられた第２の吊り具とを備えたことを特徴とする額縁。
【発明の詳細な説明】
【０００１】
【発明の属する技術分野】
本発明は、写真、書画、絵画などの展示品を嵌め込んで壁面などに設置して展示する額縁に関するものである。
【０００２】
【従来の技術】
従来技術として、例えば、内枠と外枠から構成され、展示用写真に対応したサイズの額縁本体と、展示用写真に対応したサイズの枠板と、この枠板を裏面から押圧する裏板とを備えた展示用額縁があり、この額縁本体に、展示する写真のサイズによって、展示用写真、枠板、裏板の順に、あるいは、枠板、展示用写真、裏板の順にそれぞれ嵌め込み、内枠に取り付けらた小片状の係止具（通称「トンボ」）で裏板を係止することにより裏板を表面側に押圧し、さらに、内枠裏面に取り付けられた吊り金具に紐を結びつけて、この紐を壁面に取り付けられたフックなどに引掛けて、額縁を壁面に設置して展示するという技術がある（例えば、特許文献１。）。
【０００３】
【特許文献１】
特開２００１−１２０４０３号公報
【０００４】
【発明が解決しようとする課題】
しかし、従来の技術では、内枠と外枠が、内枠から外枠に向けて連設された上り階段形状をなしているため、内枠に取り付けられた吊り金具に紐を結びつけて額縁設置用のフックなどにこの紐を引掛ける際に、外枠が邪魔にならないように外枠の更に外側にまで紐を長くしなければならず、額縁設置後に紐が外から見えて見苦しいという問題があった。
【０００５】
本発明は、以上のような従来技術の問題点に鑑みてなされたものであり、額縁外枠の内側に装着された裏板支持板上に吊り紐と止め具を備えた吊り具を取り付け、この吊り具をフックなどの額縁設置用器具に額縁を被装するようにして取り付けることにより、額縁が壁面などの設置面に密接して設置され、吊り具が額縁の内側に隠されて外から見えないので、写真、書画、絵画などの展示品を嵌め込んだ額縁が、観賞用として好適に設置できる額縁を提供することを目的とするものである。
【０００６】
【課題を解決するための手段】
このため、本発明に係る額縁は、表面側内周に張り出した突条枠部を有する額縁外枠と、この額縁外枠の裏面側から額縁外枠に嵌合可能に形成された裏板と、前記額縁外枠内側の対向する内周壁面に着脱可能に装着された複数の裏板支持板と、この複数の裏板支持板の同一の裏板支持板に取り付けられた第１の吊り具と、対向する２本の裏板支持板に取り付けられた第２の吊り具とを備え、これらの吊り具が額縁の内側に隠れて外から見えないように、額縁を壁面などに密接して設置することができ、また、写真の向きに対応して第１の吊り具と第２の吊り具を選択して利用し、縦向き、横向きいずれの方向にも設置可能であることを特徴とする。
【０００７】
【発明の実施の形態】
以下、本発明の実施の形態を図面に示す実施例に基づいて説明する。図１は、本発明に係る額縁の一実施例と、その応用例を示す説明図である。図２は、図１の正面図、断面図である。図３は、図１の額縁の取り付け例を示す説明図である。
【０００８】
図１（ａ）は、本発明に係る額縁の一実施例を示す、裏面側から見た分解斜視図であり、図１（ｂ）は、その応用例を示す説明図である。図１（ａ）に示すように、本発明に係る額縁１は、展示品３のサイズに対応して略四辺形の窓枠形状に形成された木質の額縁外枠２と、この額縁外枠２の表面側内周に張り出した木質の突条枠部２ａと、展示品３のサイズに対応して略四辺形に形成され、額縁外枠２に裏面側から嵌合可能な裏板４と、第１（縦掛け用）の吊り具６と第２（横掛け用）の吊り具７が取り付けられ、略均等に配設された４本の木質の裏板支持板５とを備えている。展示品３は、裏面から額縁外枠２に嵌合され、突条枠部２ａに保持されており、裏板４は、裏面から額縁外枠２に嵌合されて展示品３に重合され、額縁外枠２に装着された４本の裏板支持板５に、額縁外枠２の表面側に押圧されて支持されている。
【０００９】
額縁外枠２、突条枠部２ａ、裏板支持板５の材質は、木質以外の材質でも代用可能であり、例えば、合成樹脂で形成されてもよい。また、裏板４は、一定の弾性を有する軽量硬質材が好適であり、例えば、発泡スチロールなどで形成されている。そして、裏板支持板５の数は、４本に限定されるものではない。
【００１０】
このように、展示品の装着にガラス板を必要としないため、観賞の際に観賞者の背景が映り込むことがなく、パネル展示と同様の効果が得られる。また、展示品３の着脱が容易で、一つの額縁１で同サイズの複数の展示品に対応でき、パネル張りに比べ、保管場所のスペースが低減される。尚、用途によっては、ガラス板を展示品３と額縁外枠２との間に介在させることも可能である。
【００１１】
図１（ｂ）は、図１（ａ）の応用例である。本発明に係る額縁１において、複数の異なるサイズの展示品に対応させる場合は、まず、図１（ａ）で示した、額縁外枠２、突条枠部２ａ、裏板４、裏板支持板５を、最大サイズとなる展示品３に対応させて形成する。次に、裏板４と同サイズの枠板２０を形成し、この枠板２０の略中央部には、最大サイズの展示品３よりも小さいサイズの展示品３ａに対応した開口部３ｂを形成する。展示品３ａは、展示品３ａよりも小さく形成された開口部３ｂに被装され、展示品３ａの裏面外周と枠板２０裏面の開口部３ｂ近傍が、貼着用部材２１などにより、一体に貼着される。そして、展示品３ａを取り付けた枠板２０を、裏面から重合された裏板４と共に、額縁外枠２に嵌合させる。図１（ａ）と同様に、枠板２０は、突条枠部２ａに保持され、裏板４は、裏板４の裏面から額縁外枠２に装着された４本の裏板支持板５に、額縁外枠２の表面側に押圧されて支持される。このようにして、異なるサイズの開口部を有する枠板を複数枚用意しておけば、一種類の額縁１で、複数の異なるサイズの展示品に容易に対応できる。
【００１２】
尚、貼着部材２１の代わりに、展示品３ａと枠板２０との重合部分を、剥離する際に傷が付いたり接着痕が残ったりしないような接着剤で接着しても良い。また、展示品３、３ａが写真の場合は、ラミネート加工された写真でもよい。
【００１３】
図２（ａ）は、本発明に係る額縁の背面図である。図２（ｂ）は、図２（ａ）のＡ−Ａ線断面図、図２（ｃ）は、図２（ａ）のＢ−Ｂ線断面図、図２（ｄ）は、図２（ｃ）の要部拡大図である。図２（ａ）、図２（ｂ）、図２（ｃ）に示すように、額縁外枠２に嵌合された展示品３は、その周辺部が、額縁外枠２表面側内周に張り出して形成された突条枠部２ａの裏面に保持されている。この展示品３の裏面側から、同様に裏板４が嵌合され、展示品３と重合される。このように、展示品３に裏板４が重合されるため、展示品３が薄くても凹凸の発生が防止でき、観賞に好適である。
【００１４】
額縁外枠２の長手方向の上側内周壁面２ｂには、４つの上側支持板装着孔８ｂが一定の間隔を離間させて略均等に配設され、上側内周壁面２ｂと対向する下側内周壁面２ｃには、上側支持板装着孔８ｂに対応する位置に、４つの下側支持板装着孔８ｃが配設されている。この上側支持板装着孔８ｂと下側支持板装着孔８ｃは、開口部断面が四辺形で、裏板支持板５が装着可能な大きさに形成され、上下方向の配設位置は、図２（ｂ）に示すように、額縁外枠２の裏面より下方の位置である。これにより、裏板支持板５は、額縁外枠２の内側に配設されることになる。
【００１５】
横断面四辺形の４本の裏板支持板５は、上端部が上側支持板装着孔８ｂに、下端部が下側支持板装着孔８ｃにそれぞれ装着されて、略均等に配設されている。裏板支持板５の長さＬ５は、対向する内周壁面２ｂと２ｃとの距離Ｌ２よりも長く、下側支持板装着孔８ｃの深さＬ８ｃは、上側支持板装着孔８ｂの深さＬ８ｂよりも深く、また、裏板支持板５の下端部を下側支持板装着孔８ｃの底部９ｃに当接した際は、裏板支持板５の上端部が上側支持板装着孔８ｂから離脱可能で、裏板支持板５の上端部を上側支持板装着孔８ｂの底部９ｂに当接した際は、裏板支持板５の下端部が下側支持板装着孔８ｃから離脱不能になるように、それぞれの長さ、深さを調整して形成されている。また、上記したように、裏板支持板５の下端部が下側支持板装着孔８ｃの底部９ｃに当接した際は、裏板支持板５の上端部が上側支持板装着孔８ｂから離脱してしまうため、図２（ｄ）に示すように、裏板支持板５の上端部が上側支持板装着孔８ｂに、下端部が下側支持板装着孔８ｃにそれぞれ係止されて離脱できないような位置に装着した後、裏板支持板５の下部の適所に係止手段として抜け止めピン１０を装着して、裏板支持板５の離脱を防止する。この係止手段は、抜け止めピン１０に限定されず、他の係止手段でもよい。
【００１６】
また、上記した構成において、裏板支持板５の下端部が下側支持板装着孔８ｃの底部９ｃに当接した際に、裏板支持板５の上端部が上側支持板装着孔８ｂに係止されて離脱不能になるように構成すれば、抜け止めピン１０は不要である。但し、この場合は、額縁外枠２を外側に湾曲させて裏板支持板５を額縁外枠２に着脱するために、額縁外枠２の湾曲の程度、裏板支持板５の長さ、上側支持板装着孔８ｂの深さ、下側支持板装着孔８ｃの深さが、それぞれ適当に調整される必要がある。
【００１７】
尚、裏板支持板５の上端部、下端部を、それぞれ上側支持板装着孔８ｂ、下側支持板装着孔８ｃに装着しやすいように、裏板支持板５の上端部、下端部の角部分が滑らかになるように削られてもよい。
【００１８】
図２（ａ）に示すように、配設された４本の裏板支持板５の内、左端の裏板支持板５の側面には、第１（縦掛け用）の吊り具６が取り付けられ、額縁外枠２略中央部に配設された対向する２本の裏板支持板５の側面間には、第２（横掛け用）の吊り具７が取り付けられている。第１の吊り具６は、前記左端の裏板支持板５の側面略中央部に、一定の間隔を離間させて装着された一対の縦掛け用止め具６ａと、この縦掛け用止め具６ａに両端が結び付けられた縦掛け用吊り紐６ｂとを備えている。また、第２の吊り具７は、前記対向する２本の裏板支持板５の側面に装着された一対の横掛け用止め具７ａと、この横掛け用止め具７ａに両端が結び付けられた横掛け用吊り紐７ｂとを備えている。このように構成したので、展示品３の向きに対応して、縦掛け、横掛けのいずれでも額縁の設置が可能である。また、第１の吊り具６及び第２の吊り具７は、額縁外枠２の裏面より内側に配設された裏板支持板５に取り付けられている。このため、これらの第１の吊り具６又は第２の吊り具７を壁面に設置されたフックなどの額縁設置用器具に引掛けて、額縁１を壁面に設置した際に、額縁１が壁面などに密接して設置され、第１の吊り具６及び第２の吊り具７が額縁１の内側に隠されるため、従来の額縁のように吊り紐や止め具などの吊り具が外から見えて見苦しいということが防止でき、観賞に好適である。
【００１９】
第１の吊り具６は、額縁１を壁面Ｗなどに傾かずにバランスよく設置するためには、本実施例のように、一定の間隔を離間させて装着された一対の縦掛け用止め具６ａに、縦掛け用吊り紐６ｂが結び付けられて構成されることが好適であるが、例えば、一本の止め具に環状の引掛け具を取り付け、この引掛け具を前記フックなどに引掛けて額縁を設置することも可能である。また、縦掛け用吊り紐６ｂは、硬質の部材、あるいは、軟質の紐に水性塗料を塗り乾燥させて硬質化した部材などで形成され、額縁１裏面側に傾倒させて縦掛け用止め具６ａに取り付けた方が、フックなどの額縁設置用器具に取り付けやすい。
【００２０】
同様に、第２の吊り具７についても、額縁１を壁面Ｗなどに傾かずにバランスよく設置するためには、本実施例のように、一定の間隔を離間させて配設された対向する裏板支持板５に装着された一対の横掛け用止め具７ａに、横掛け用吊り紐７ｂが結び付けられて構成されることが好適であるが、例えば、額縁外枠２の長手方向中央位置に配設された裏板支持板５に装着された一本の止め具に環状の引掛け具を取り付け、この引掛け具を前記フックなどに引掛けて額縁を設置することも可能である。また、横掛け用吊り紐７ｂは、硬質の部材、あるいは、軟質の紐に水性塗料を塗り乾燥させて硬質化した部材などで形成され、額縁１裏面側に傾倒させて横掛け用止め具７ａに取り付けた方が、フックなどの額縁設置用器具に取り付けやすい。。
【００２１】
次に、本発明に係る額縁の壁面への設置例について説明する。図３（ａ）は、額縁１を横向きに壁面Ｗに設置した状態を示す斜視図である。図３（ａ）に示すように、額縁１を、長手方向が略水平になるように横向きにして、第２の吊り具７の横掛け用吊り紐７ｂを、壁面Ｗに取り付けられたフックＦに引掛けて、フックＦを被装するようにして設置する。図３（ｂ）は図３（ａ）のＣ−Ｃ線断面図である。図３（ｂ）に示すように、第２の吊り具７は、額縁外枠２の裏面より内側に配設された裏板支持板５に取り付けられている。このため、額縁１が壁面Ｗに密接して設置され、第２の吊り具７が額縁１の内側に隠されて外側から見えず、従来の額縁のように吊り紐や止め具などの吊り具が外から見えて見苦しいということが防止でき、観賞に好適である。額縁１を長手方向が略垂直になるように縦向きにして、第１の吊り具６の縦掛け用吊り紐６ｂを、壁面Ｗに取り付けられたフックＦに引掛けて設置しても、効果は同じである。
【００２２】
また、図３（ａ）において、抜け止めピン１０は左端及び右端の裏板支持板５に装着されている。第２の吊り具７が取り付けられている略中央部の対向する２本の裏板支持板５は、第２の吊り具７の横掛け用吊り紐７ｂがフックＦに引掛けられており、裏板支持板５の上端部が上側支持板装着孔８ｂの底部９ｂに当接し、裏板支持板５の下端部が下側支持板装着孔８ｃから離脱不能となるため、抜け止めピン１０は不要である。額縁１を縦向きに設置する際は、４本の裏板支持板５全てに抜け止めピンが必要となる。
【００２３】
尚、額縁１の壁面Ｗへの設置は、額縁外枠２の内周壁面（例えば、上側内周壁面２ｂ）を、直接、フックＦなどの額縁設置用器具に引掛けてもよい。また、第２の吊り具７の一対の横掛け用止め具７ａは、対向する２本の裏板支持板５に取り付ける方法が好適であり、取り付ける２本の裏板支持板５間に他の裏板支持板５が介在する場合に比べ、フックＦなどの額縁設置用器具への取付けが非常に容易になる。
【００２４】
【発明の効果】
以上説明したように、本発明に係る額縁によれば、第１（縦掛け用）の吊り具と、第２（横掛け用）の吊り具を、額縁外枠の内側に配設された裏板支持板に取り付け、この吊り具をフックなどの額縁設置用器具に額縁を被装するようにして取り付けることにより、額縁が壁面などの設置面に密接して設置され、吊り具が額縁の内側に隠されて外側から見えないので、観賞に好適であるという優れた効果を有する。
【図面の簡単な説明】
【図１】図１は、本発明に係る額縁の一実施例と、その応用例を示す設明図である。
【図２】図２は、図１の正面図、断面図である。
【図３】図３は、図１の取り付け例を示す説明図である。
【符号の説明】
１        額縁
２        額縁外枠
２ａ      突条枠部
２ｂ      上側内周壁面
２ｃ      下側内周壁面
３、３ａ  展示品
３ｂ      開口部
４        裏板
５        裏板支持板
６        第１（縦掛け用）の吊り具
６ａ      縦掛け用止め具
６ｂ      縦掛け用吊り紐
７        第２（横掛け用）の吊り具
７ａ      横掛け用止め具
７ｂ      横掛け用吊り紐
８ｂ      上側支持板装着孔
８ｃ      下側支持板装着孔
１０        抜け止めピン
２０        枠板
２１        貼着用部材
Ｆ          フック
Ｗ          壁面
【図１】
2004313406.tif 000003
【図２】
2004313406.tif 000004
【図３】
2004313406.tif 000005